(57)【要約】      （修正有）【課題】製造に高い技術力や手間を必要とせずに、座り心地のよい椅子を提供する。【解決手段】周縁部Ａ５の特定箇所、この実施形態では、周縁部Ａ５の後縁部分Ａ５２に、裏面側に突出する弾性変形可能な支持部Ａ３２を樹脂により一体に成形した構造をなしている。支持部Ａ３２は、周縁部Ａ５の後縁部分Ａ５２に設けられ、表面側に開口し裏面側に突出する略Ｕ字形状をなすものであり、その突出した部分である突出部分Ａ４２１を椅子本体Ａ２の後フレームＡ２４に取り付けている。【選択図】図２
2011244957.tif 000002
【特許請求の範囲】
【請求項１】
椅子本体に座板及び背板を支持させてなる椅子であって、前記座板及び背板の少なくとも一方が、裏面側に突出する弾性変形可能な支持部を樹脂により一体に成形してなる板材を備えたものであり、その支持部を椅子本体に取り付けていることを特徴とする椅子。
【請求項２】
前記支持部が、表面側に開口し裏面側に突出する略Ｕ字形状をなすものであり、その突出した部分を前記椅子本体に取り付けている請求項１記載の椅子。
【請求項３】
前記支持部が、突出した部分の裏面に横断面Ｃ字形をなす突起を備えており、その突起を椅子本体のフレームに外嵌させている請求項１または２記載の椅子。
【請求項４】
前記支持部が、突出した部分の裏面に突起を備えており、その突起を椅子本体のフレームに設けた孔に係わり合わせている請求項３記載の椅子。
【請求項５】
前記支持部が、前記突出した部分に貫通孔を備えており、この貫通孔に挿通させた止着具によりこの支持部を椅子本体のフレームに取り付けている請求項２、３または４記載の椅子。
【請求項６】
前記板材が、前記座板を構成するものであり、
前記支持部が、座板の前側に位置する部位に設けられている請求項１、２、３、４または５記載の椅子。
【請求項７】
前記板材が、複数の支持部を備えたものであり、その支持部間に位置する部位を厚み方向に弾性変形可能に構成されたものである請求項１、２、３、４、５または６記載の椅子。
【請求項８】
前記椅子本体が、取付板を固設したフレームを備えたものであり、その取付板に前記支持部を取り付けている請求項１、２、３、４、５、６または７記載の椅子。
【請求項９】
前記フレームが、環状のものであり、前記取付板が、その内側に設けられたものである請求項８記載の椅子。
【発明の詳細な説明】
【技術分野】
【０００１】
本発明は、学校用または事務用等として好適に使用される椅子に関する。
【背景技術】
【０００２】
従来、この種の椅子では、比較的長時間着座されることが少なくないため、座り心地が重視され、種々の改善がなされてきた。近時、非常に座り心地のよい椅子として、枠材に張設したメッシュにより着座者の荷重を弾性的に受けるようにしたメッシュタイプの椅子が開発されている（例えば、特許文献１を参照）。
【０００３】
ところが、このようなメッシュタイプの椅子では、枠材にメッシュを適切な張力をもって張り設ける必要があり、その支持構造が複雑であるとともに、その張設作業に高い技術力が要求される。
【先行技術文献】
【特許文献】
【０００４】
【特許文献１】特開２００７−２０２５９１号公報
【発明の概要】
【発明が解決しようとする課題】
【０００５】
本発明は、以上のような事情に着目してなされたものであり、製造に高い技術力や手間を必要とせずに、座り心地のよい椅子を提供することを目的とする。
【課題を解決するための手段】
【０００６】
本発明は、このような目的を達成するために、次のような手段を講じたものである。すなわち本発明に係る椅子は、椅子本体に座板及び背板を支持させてなる椅子であって、前記座板及び背板の少なくとも一方が、裏面側に突出する弾性変形可能な支持部を樹脂により一体に成形してなる板材を備えたものであり、その支持部を椅子本体に取り付けていることを特徴とする。
【０００７】
このようなものであれば、板材により着座者の荷重を弾性的に受けるようにしているので、従来のような枠材にメッシュを張り設けたものに比べて製造に高い技術力や手間を必要とせずに、座り心地のよい椅子となる。すなわち、支持部が厚み方向に撓みながら着座者の荷重を主として受けるとともに荷重に応じて適宜弾性変形し、所要のクッション性を与えることによって、座り心地の良いものとなる。
【０００８】
好適に弾性変形し得る接続部の具体的な態様として、前記支持部を、表面側に開口し裏面側に突出する略Ｕ字形状をなすものとし、その突出した部分を前記椅子本体に取り付けているものを挙げることができる。
【０００９】
そして、支持部を椅子本体に好適に位置決めしておくようにするためには、当該支持部を、突出した部分の裏面に突起を設けたものとし、その突起を椅子本体のフレームに設けた孔に係わり合わせたものとすることが好ましい。
【００１０】
また、パイプなどの円筒形状のフレームにも好適に支持部を位置決めすし得る他の態様としては、当該支持部を、突出した部分の裏面に横断面Ｃ字形をなす突起を設けたものとし、その突起を椅子本体のフレームに外嵌させたものを挙げることができる。
【００１１】
そして、支持部を位置決めするさらに他の態様としては、支持部を、前記突出した部分に貫通孔を備えたものとし、この貫通孔に挿通させた止着具によりこの支持部を椅子本体のフレームに取り付けたものを挙げることができる。
【００１２】
着座者の前傾姿勢時にも好適な座り心地を提供し得るものとするためには、前記板材が、座板を構成するものであり、前記支持部が、座板の前側に位置する部位に設けられていることが好ましい。
そして、板材を、複数の支持部を備えたものとし、その支持部間に位置する部位を厚み方向に弾性変形可能に構成されたものとすれば、板材全体を弾性変形させることができ、所要のクッション性を獲得し得るものとなる。
【００１３】
本発明を適用する具体的な態様として、椅子本体を、取付板を固設したフレームを備えたものであり、その取付板に前記支持部を取り付けるという態様とすれば、板材全体が支持部の弾性変形により所望の姿勢変更をすることにより、好適な座り心地を実現し得る。
【００１４】
そして、座り心地をさらに向上させ得るように板材を姿勢変更させるためには、フレームを環状のものとして、取付板を、その内側に設けた構成とすることが望ましい。
【発明の効果】
【００１５】
本発明によれば、板材により着座者の荷重を弾性的に受けるようにしているので、従来のような枠材にメッシュを張り設けたものに比べて製造に高い技術力や手間を必要とせずに、座り心地のよい椅子を提供することができる。
【図面の簡単な説明】
【００１６】
【図１】本発明の第１実施形態を示す全体斜視図。
【図２】同実施形態の背面側を示す全体斜視図。
【図３】同実施形態の平面図。
【図４】同実施形態の側面図。
【図５】本発明の第２実施形態を示す全体斜視図。
【図６】同実施形態の背面側を示す全体斜視図。
【図７】図６における要部を拡大して示す図。
【図８】同実施形態の側断面図。
【図９】本発明の第３実施形態の要部を示す分解斜視図。
【図１０】同実施形態の椅子を模式的に示す側面図。
【図１１】本発明の第４実施形態を示す全体斜視図。
【図１２】同実施形態の椅子の使用態様を模式的に示す側面図。
【図１３】同実施形態の椅子の使用態様を模式的に示す側面図。
【図１４】本発明の第４実施形態を示す要部の模式的な図。
【発明を実施するための形態】
【００１７】
以下、本発明の第１実施形態について図１ないし図４を参照して説明する。
【００１８】
この実施形態は、本発明を上下方向にスタッキング可能な椅子Ａ１に適用したものである。この椅子Ａ１は、椅子本体Ａ２に座板Ａ３及び背板Ａ４を支持させてなるものである。
【００１９】
椅子本体Ａ２は、図１及び図２に示すように床上に載置される左右のベースＡ２１と、これら各ベースＡ２１の前端から上方に延出する左右の前脚Ａ２２と、前記各ベースＡ２１の後端から上方に延出する左右の後脚Ａ２３と、これら後脚Ａ２３及び左右の前脚Ａ２２の上端とを繋ぐ左右の側フレームＡ２５と、この左右の側フレームＡ２５間に架設された、本発明の取付板として機能する後フレームＡ２４と、前記側フレームＡ２５の前端近傍部間に架設された前フレームＡ２６と、前記後脚Ａ２３の上端から上方に延出する左右の背フレームＡ２７とを備えてなる。前記ベースＡ２１、前脚Ａ２２、後脚Ａ２３、側フレームＡ２５、背フレームＡ２７及び、前フレームＡ２６は、共通の金属線材を折曲げることにより一体に構成されたもので、前記座板Ａ３及び背板Ａ４に作用する荷重を受けることが可能な強度を備えている。また、本実施形態においては、前記椅子本体Ａ２に前記座板Ａ３を取り付けた状態で、前記前フレームＡ２６と前記座板Ａ３との間に当該座板Ａ３の下方への撓みを許容できるだけの隙間が形成されるように設定してある。
【００２０】
座板Ａ３は、図１ないし図４に示すように、板材Ａ３１と、この板材Ａ３１の下面に突設した本発明に係る支持部Ａ３２と、板材Ａ３１の前方から下方に突出した先端部分が金属線材である前フレームＡ２６に嵌められる座固定部Ａ３３（図４）とを備えたもので、この実施形態においては、弾性変形により厚み方向に撓み得る樹脂により一体に成形されている。
【００２１】
板材Ａ３１は、図１ないし図４に示すように、椅子本体Ａ２の左右の側フレームＡ２５に支持される周縁部Ａ５と、この周縁部Ａ５の内側に位置する中間部Ａ６とを有し樹脂で一体に成形されたものである、本実施形態では、前記周縁部Ａ５の特定箇所、この実施形態では、周縁部Ａ５の後縁部分Ａ５２に、裏面側に突出する弾性変形可能な支持部Ａ３２並びに座固定部Ａ３３を樹脂により一体に成形した構造をなしている。そして、これら支持部Ａ３２及び座固定部Ａ３３が座板Ａ３１から下方に突出することにより、特に図４に示すように、座板Ａ３１と側フレームＡ２５との間に隙間Ａ３４が形成される。
【００２２】
周縁部Ａ５は、図１ないし図４に示すように、中間部Ａ６の左右両側に位置する側縁部分Ａ５１と、中間部Ａ６の後側に位置する後縁部分Ａ５２と、中間部Ａ６の前側に位置する前縁部分Ａ５３とを備えたものである。前記側縁部分Ａ５１は、前記中間部Ａ６から面一に構成したものとしているが、前記側フレームＡ２５を包み込むように下方に湾曲させるなど、適宜の形状を適用してもよい。前記後縁部分Ａ５２は、後上方に向けて湾曲している。前記前縁部分Ａ５３は、前下方に向けて湾曲している。
【００２３】
前記中間部Ａ６は、図１ないし図４に示すように、本実施形態では前記周縁部Ａ５に対して一体的に設けられている。また本実施形態では、当該中間部を面一且つ平板状の構成をなしている。
【００２４】
そして支持部Ａ３２は、図１ないし図４に示すように、周縁部Ａ５の後縁部分Ａ５２に設けられ、表面側に開口し裏面側に突出する略Ｕ字形状をなすものであり、その突出した部分である突出部分Ａ３２１を椅子本体の後フレームＡ２４に取り付けている。そして突出部分Ａ３２１の中央には図示しないボルト挿通孔を設け、このボルト挿通孔から下方に向けてボルトＡ３２２を挿通させるとともに、このボルトＡ３２２の先端には抜け止め用のナットＡ３２３を取り付けている。そして、突起Ａ３２２を後フレームＡ２４に設けた孔Ａ２４１に挿通させた状態で突起Ａ３２２の先端にナットＡ３２３を取り付けることにより、支持部Ａ３２は後フレームＡ２４に対して固定される。加えて、突出部分Ａ３２１の下面を、下方に若干膨出するように形成した湾曲面Ａ３２３としている。すなわち、突起Ａ３２２と孔Ａ２４１とによって、支持部Ａ３２と後フレームＡ２４とが好適に位置決めされながら、着座者の荷重によって略Ｕ字形状をなす突出部分Ａ３２１が適宜弾性変形により撓むものとなっている。そして本実施形態では、側フレームＡ２５と座板Ａ３１との間に隙間Ａ３４が形成されている。これにより、着座者の着座によって板材Ａ３１並びに支持部Ａ３２の弾性変形により動作しても、板材Ａ３１は側フレームＡ２５に干渉しない。加えて、着座者の荷重によって座板Ａ３自体が後フレームＡ２４に対する相対角度が変化したとしても、後フレームに湾曲面Ａ３２３が接しているので突出部分Ａ３２１ががたつくこともない。
【００２５】
背板Ａ４は、図１及び図２に示すように、背板の主体をなす板材Ａ４１と、上下左右四箇所に設けた支持部Ａ４２とを一体に備えた例えば樹脂性のもので、支持部Ａ４２を前記背フレームＡ２７に四箇所に亘って固定することによって、この背板Ａ４を椅子本体Ａ２に支持させている。すなわち本実施形態では、背板Ａ４を構成する板材Ａ４１も、後側に突出する弾性変形可能な支持部Ａ４２を樹脂により一体に成形した構造をなしている。
【００２６】
板材Ａ４１は、図１ないし図４に示すように、椅子本体Ａ２の背フレームＡ２７に支持部Ａ４２を介して支持される中間部Ａ４３と、この中間部Ａ４３の周縁に位置する面板部Ａ４４とを有し樹脂で一体に成形されたものである、この実施形態では、中間部Ａ４３に、上下左右計四箇所から裏面側に突出する弾性変形可能な支持部Ａ４２を樹脂により一体に成形した構造をなしている。
【００２７】
そして背板Ａ４に設けた支持部Ａ４２は、表面側に開口し裏面側に突出する略Ｕ字形状をなすものである。そしてこの支持部Ａ４２の場合、その突出した部分である突出部分Ａ４２１から後方に、さらに平面視Ｃ字状のリブＡ４２２と、当該リブＡ４２２の中央から後方に突出させた挿通ピンＡ４２３とを設けている。そしてリブＡ４２２を背フレームＡ２７に嵌めるとともに挿通ピンＡ４２３を図示しない背フレームＡ２７に設けた挿通孔に挿通することによって、背フレームＡ２７に嵌めるものとしている。そして上述の通り、中間部Ａ４３における上下左右計四箇所において支持部Ａ４２を背フレームＡ２７に固定することにより、背板Ａ４を椅子本体Ａ２の背フレームＡ２７に上下左右にずれることなく取り付けている。これにより、着座者の背凭れに対する凭れ動作により背板Ａ４に掛かる荷重によって、略Ｕ字形状をなす突出部分Ａ４２１が適宜弾性変形により撓むものとなっている。
【００２８】
以上のような構成とすることにより、本実施形態に係る椅子Ａ１は、支持部Ａ３２、Ａ４２を設けた板材Ａ３１、Ａ４１を具備しているので、着座者の座板Ａ３や背板Ａ４に掛かる荷重を受けると、支持部Ａ３２、Ａ４２が弾性変形するようにしているので、従来のような枠材にメッシュを張り設けたものに比べて製造に高い技術力や手間を必要とせずに所要のクッション性を獲得したものとなっている。
【００２９】
さらに、好適に弾性変形し得るために本実施形態では、支持部Ａ３２、Ａ４２を、表面側に開口し裏面側に突出する略Ｕ字形状をなすものとし、その突出した突出部分Ａ３２１、Ａ４２１を椅子本体Ａ２に取り付けたものとしている。
【００３０】
そして、座板Ａ３に設けた支持部Ａ３２に関しては、支持部Ａ３２を椅子本体Ａ２の後フレームＡ２４に好適に位置決めしておくようにするため、当該支持部Ａ３２を、突出部分Ａ３２１の裏面から突起としてのボルトＡ３２２を設け突出させたものとし、その突出させたボルトＡ３２２を椅子本体Ａ２の後フレームＡ２４に設けた孔Ａ２４１に挿通させ、ナットＡ３２４を取り付けたものとしている。これにより、支持部Ａ３２と後フレームＡ２４とが、円滑な動作を担保しつつ、不意に外れることがないよう、好適に係わり合ったものとなっている。
【００３１】
また、周縁部Ａ５は、上述したように湾曲しているため座板Ａ３として必要な高い剛性を有することとなる。
【００３２】
次に、本発明の第２実施形態について図５ないし図７を参照して説明する。
【００３３】
この実施形態は、本発明を前後方向にネスティング可能な椅子Ｂ１に適用したものである。この椅子Ｂ１は、椅子本体Ｂ２に座板Ｂ３及び背板Ｂ４を支持させてなるものである。
【００３４】
椅子本体Ｂ２は、図５ないし図８に示すように、下端にキャスタＢ２１１を有した左右の前脚Ｂ２１と、下端にキャスタＢ２２１を有した左右の後脚Ｂ２２と、これら後脚Ｂ２２の上端と前記前脚Ｂ２１の上端とをそれぞれ繋ぐ左右の側フレームＢ２４と、これら側フレームＢ２４の前端近傍部間に架設された前フレームＢ２５と、これら側フレームＢ２４の後端近傍部間に架設された後フレームＢ２３と、この後フレームＢ２３に基端部Ｂ２８を回転可能に支持させた左右の支持フレームＢ２６と、前記後脚Ｂ２２の上端から上方に延出する左右の背フレームＢ２７とを備えてなる。前記前脚Ｂ２１と側フレームＢ２４とは、共通の金属パイプ材を折曲げることにより一体に構成されたもので、側フレームＢ２４の後端は後脚Ｂ２２の上端に溶接等により剛結されている。前記前脚Ｂ２１、後脚Ｂ２２、側フレームＢ２４、前フレームＢ２５、後フレームＢ２３、支持フレームＢ２６、及び背フレームＢ２７は、前記座板Ｂ３及び背板Ｂ４に作用する荷重を受けることが可能な強度を備えている。そして、前記支持フレームＢ２６の前端部及び後端部に前記座板Ｂ３を支持させており、座板Ｂ３が略水平になる使用位置（Ｕ）と座板Ｂ３が背板Ｂ４と略平行になる図示しない跳ね上げ位置との間で回動し得るようになっている。支持フレームＢ２６の中間部Ｂ２９には凹陥部Ｂ２９１が形成されており、前記使用位置（Ｕ）においてこの凹陥部Ｂ２９１が前フレームＢ２５に係わり合うようになっている。なお、前記左右の前脚Ｂ２１間の距離は、前記左右の後脚Ｂ２２間の距離よりも小さく設定されており、座板Ｂ３を跳ね上げた状態で同一の構造をなす他の椅子とネスティング可能になっている。
【００３５】
座板Ｂ３は、図５ないし図８に示すように、板材Ｂ３１と、この板材Ｂ３１の下面に突設して椅子本体Ｂ２に取り付けられる前後の取付体Ｂ３２、Ｂ３３と、後側の取付体Ｂ３３と板材Ｂ３１との間に介在するように設けられた支持部Ｂ３５を二つ備えたもので、この実施形態においては、前側の取付体Ｂ３１及び支持部Ｂ３５は、板材Ｂ３１に樹脂により一体に成形されている。そして後側の取付体Ｂ３３は、本実施形態では板材Ｂ３１及び支持部Ｂ３５に対して別体としているが勿論、支持部Ｂ３５に対して一体に設けたものであっても良い。
【００３６】
板材Ｂ３１は、図５ないし図８に示すように、椅子本体Ｂ２の左右の支持フレームＢ２６に支持される周縁部Ｂ５と、この周縁部Ｂ５の内側に位置する中間部Ｂ６とを有し樹脂で一体に成形された厚み方向に弾性変形可能に構成されたものである。本実施形態では、前記周縁部Ｂ５の特定箇所、この実施形態では、周縁部Ｂ５の後縁部分Ｂ５２における二箇所にそれぞれ、裏面側に突出する弾性変形可能な支持部Ｂ３５を樹脂により一体に成形した構造をなしている。
【００３７】
前記周縁部Ｂ５は、図５ないし図８に示すように、中間部Ｂ６の左右両側に位置する側縁部分Ｂ５１と、中間部Ｂ６の後側に位置する後縁部分Ｂ５２と、中間部Ｂ６の前側に位置する前縁部分Ｂ５３とを備えたものである。
【００３８】
前記中間部Ｂ６は、前記第１実施形態と同じ構造をなした平板状のものである。
【００３９】
取付体Ｂ３２、Ｂ３３は、図６ないし図８に示すように、前記前縁部分Ｂ５３及び後縁部分Ｂ５２の下面に設けられている。前の取付体Ｂ３２は、前記周縁部Ｂ５の前縁部分Ｂ５３に設けられ、後の取付体Ｂ３３は、前記周縁部Ｂ５の後縁部分Ｂ５２に設けられている。前の取付体Ｂ３２に支持フレームＢ２６の前端部を板材Ｂ３１及び支持部Ｂ３５の弾性変形に応じるべく若干の動作範囲で回転可能なように取り付けるとともに、後の取付体Ｂ３３に支持フレームＢ２６の後端部を離脱不能に取り付けている。そして、前記前後の取付体Ｂ３２、Ｂ３３間は、前記支持フレームＢ２６と前記座板Ｂ３の中間部Ｂ６とが隙間Ｂ３４を介して離間しており、その隙間Ｂ３４によって前記中間部Ｂ６の厚み方向の弾性変形を許容している。また、後側の取付体Ｂ３３には、支持部Ｂ３５を固定するための固定部Ｂ３３１を設けている。
【００４０】
支持部Ｂ３５は、図５ないし図８に示すように、周縁部Ｂ５の後縁部分Ｂ５２において左右二箇所に設けられ、表面側に開口し裏面側に突出する略Ｕ字形状をなすものであり、その突出した部分である突出部分Ｂ３５１を椅子本体の後フレームＢ２４に取り付けている。そして上述の通り後側の取付部Ｂ３３には、突出部分Ｂ３５１の中央を固定するための固定部Ｂ３３１を備えているので、取付部Ｂ３３に確実に位置決めされている。このように、支持部Ｂ３５と後フレームＢ２４とが好適に位置決めされながら、着座者の荷重によって略Ｕ字形状をなす突出部分Ｂ３５１が適宜撓み得るものとなっている。
【００４１】
背板Ｂ４は、図５ないし図８に示すように、両側縁に下方に開口する取付孔Ｂ４１を備えたもので、その取付孔Ｂ４１を前記背フレームＢ２７に嵌め合わせることによって、この背板Ｂ４を椅子本体Ｂ２に支持させている。
【００４２】
このような構成のものであれば、従来のネスティング可能な椅子と同様に使用することができる上に、座板に関しては前述した第１実施形態に準じた効果が得られる。
【００４３】
次に、本発明の第３実施形態について図９及び図１０を参照して説明する。
【００４４】
この実施形態は、本発明を背板Ｃ４と座板Ｃ３とが一定の比率で同期して傾動するシンクロロッキング可能な椅子Ｃ１に適用したものである。この椅子Ｃ１は、椅子本体Ｃ２に座板Ｃ３及び背板Ｃ４を支持させてなるものである。
【００４５】
椅子本体Ｃ２は、図９及び図１０に示すように、キャスタＣ２１１を有する脚Ｃ２１と、この脚Ｃ２１の上端に支持される支持基部Ｃ２２と、この支持基部Ｃ２２に傾動可能に支持される背支桿Ｃ２３と、この背支桿Ｃ２３及び前記支持基部Ｃ２２の上方に配された座受Ｃ２４と、この座受Ｃ２４を前記支持基部Ｃ２２及び背支桿Ｃ２３に支持させる支持機構Ｃ２５とを備えてなる。前記座受Ｃ２４は、環状をなす座フレームＣ２６と、この座フレームＣ２６の四隅に固設された取付板Ｃ２７と、前記支持機構Ｃ２５と連結するための前連結部Ｃ２８及び後連結部Ｃ２９とを備えてなる。取付板Ｃ２７は、具体的には、座フレームＣ２６の四隅よりも内側に設けられたものである。そして、前記座フレームＣ２６に座板Ｃ３を載置し、前記取付板Ｃ２７に挿通させた図９に示すような例えばボルトＣ３４といった止着具により前記座フレームＣ２６に前記座板Ｃ３を固定した状態で支持させている。前記支持機構Ｃ２５は、例えば、図９に模式的に示すように、座フレームＣ２６の前連結部Ｃ２８を支持基部Ｃ２２の前端部に連結する自由端構造をなす前リンク要素Ｃ２５１と、背支桿Ｃ２３の中間部に設けられ前記座フレームＣ２６の後連結部Ｃ２９を回動可能に支持する座取付部Ｃ２５２とを具備してなる。
【００４６】
座板Ｃ３は、図９及び図１０に示すように、厚み方向に撓み変形可能な樹脂製の板材Ｃ３１と、取付板に取り付けられる支持部Ｃ３２と、この支持部Ｃ３２に設けられたボルト挿通孔Ｃ３３とを備えたもので、このボルト挿通孔Ｃ３３並びに前記取付板Ｃ２７に挿通させたボルトＣ３４が図示しないナットＣ３５に螺着されるようになっている。
【００４７】
板材Ｃ３１は、図９及び図１０に示すように、椅子本体Ｃ２の座フレームＣ２６に支持される周縁部Ｃ５と、この周縁部Ｃ５の内側に位置する中間部Ｃ６とを有し樹脂で一体に成形されたものである。
【００４８】
前記周縁部Ｃ５は、図９及び図１０に示すように、中間部Ｃ６の左右両側に位置する側縁部分Ｃ５１と、中間部Ｃ６の後側に位置する後縁部分Ｃ５２と、中間部Ｃ６の前側に位置する前縁部分Ｃ５３とを備えたものである。前記側縁部分Ｃ５１は、前記座フレームＣ２６を包み込むように下方に湾曲している。前記後縁部分Ｃ５２は、後上方に向けて湾曲している。前記前縁部分Ｃ５３は、前下方に向けて湾曲している。
【００４９】
前記中間部Ｃ６は、前記第１実施形態と同じ平板状の構造をなしている。
【００５０】
背板Ｃ４は、図１０に示すように、前記背支桿Ｃ２３の上端部に取り付けられることで、この背板Ｃ４を椅子本体Ｃ２に支持させており、前記背支桿Ｃ２３と一体的に後傾動作を行うようになっている。
【００５１】
しかして本実施形態では、周縁部Ｃ５における四箇所、換言すれば前記取付板Ｃ２７に対応する四箇所にそれぞれ支持部Ｃ３２を設けている。
【００５２】
この支持部Ｃ３２は、表面側に開口し裏面側に突出する略Ｕ字形状をなすものであり、その突出した部分である突出部分Ｃ３２１を前記取付板Ｃ２７に取り付けている。具体的には、突出部分Ｃ３２１の中央に貫通孔たるボルト挿通孔Ｃ３３が設けられており、このボルト挿通孔Ｃ３３並びに前記取付板Ｃ２７に挿通させたボルトＣ３４がナットＣ３５に螺着されるようになっている。そして支持部Ｃ４２は、周縁部分Ｃ５を構成する側縁部分Ｃ５１、後縁部分Ｃ５２並びに前縁部分Ｃ５３から、例えば４５°の角度で傾斜させて設けている。これにより、座板Ｃ３に荷重が掛ると、樹脂を湾曲させて変形し難く構成されている周縁部Ｃ５すなわち側縁部分、前縁部分並びに後縁部分を外側へ押し拡げようとする方向に荷重を分散させながら突出部分Ｃ３２１が撓み動作を行う。そのため、突出部分Ｃ３２１の弾性変形による座板Ｃ３の不自然な変形が有効に防止される。これにより、突出部分Ｃ３２１の弾性変形による座板Ｃ３のクッション性の付与と、着座時における座板Ｃ３自体の自然な弾性変形すなわち着座者の臀部の形状に応じた座板Ｃ３の弾性変形とを有効に両立させたものとなっている。
【００５３】
このような構成のものであれば、従来のシンクロロッキング可能な椅子と同様に使用することができる上に、座板Ｃ３１に関しては前述した第１実施形態に準じた効果が得られる。
【００５４】
そして、この実施形態では、支持部Ｃ３２を位置決めするために、突出部分Ｃ３２１に貫通孔Ｃ３３を設け、この貫通孔Ｃ３３に挿通させた止着具たるボルトＣ３４によりフレームに取り付けることによって、支持部Ｃ３２によるクッション性を担保しつつ、座板Ｃ３１のシンクロチルト動作に拘わらずに好適に座板Ｃ３１を位置付けたものとなっている。
【００５５】
また、本実施形態では、座板Ｃ３１の前側にも支持部Ｃ３２を設けているので、着座者の前傾姿勢時にも好適な座り心地を提供し得るものとなっている。すなわち、着座者が座板Ｃ３１の前寄りに多く体重を掛けると、前側の支持部Ｃ３２がより多く変形し、座板Ｃ３１全体が前傾姿勢となる。逆に着座者が座板Ｃ３１の後寄りに多く体重を掛けると、後側の支持部がＣ３２より多く変形し、座板Ｃ３１全体が後傾姿勢となる。このような構成を、同実施形態のような背座シンクロロッキングのフレーム構造と組み合わせることによって、フレームが起立姿勢が起立姿勢から後傾姿勢へと姿勢変更するに伴い、座板Ｃ３１が上述した前傾姿勢並びに後傾姿勢へと併せて姿勢変更することが相まって、着座者はより幅広い着座姿勢をとることが可能となる。また勿論、このような前後に支持部Ｃ３２を設ける構造は、上記第１、第２実施形態のような上下スタックや前後ネスティングし得る仕様の、固定式のフレームを備えた椅子Ａ１、Ｂ１に適用した場合であっても、着座者は前寄りに多く体重を掛ければ、ここに記したような前傾姿勢をとることが可能となる。
【００５６】
加えて本実施形態では、板材Ｃ３１に複数の支持部Ｃ３２を設け、板材Ｃ３１それ自体が厚み方向に弾性変形するためその支持部Ｃ３２間に位置する部位をも厚み方向に弾性変形可能に構成されることとなっているので、板材Ｃ３１自体の弾性変形のみならず、支持部Ｃ３２による弾性変形も相まって、座板Ｃ３全体が着座者の荷重の移動や姿勢変更に好適に応じた弾性変形動作をさせることができ、その結果、座板Ｃ３が所要のクッション性を獲得したものとなっている。
【００５７】
特に、この実施形態では、図９に示すように、座枠Ｃ２４の前連結部Ｃ２８及び後連結部Ｃ２９が、座板Ｃ３の中間部Ｃ６の撓む範囲下で座フレームＣ２６の左右を連結する構造ではないため、座板Ｃ３の下方への撓み変形を阻害するものが存在しない。したがって、座板Ｃ３の変形し得る範囲を大きく設定することも可能である。
【００５８】
次に、本発明の第４実施形態について図１１ないし図１４を参照して説明する。
【００５９】
この実施形態は、本発明を上下方向にスタッキングすることも前後方向にネスティングすることも可能な椅子Ｄ１に適用したものである。この椅子Ｄ１は、椅子本体Ｄ２に座板Ｄ３及び背板Ｄ４を支持させてなるものである。
【００６０】
椅子本体Ｄ２は、図１１に示すように、接地体Ｄ２１１を介して床上に載置される左右のベースＤ２１と、これら各ベースＤ２１の前端から上方に延出する左右の前脚Ｄ２２と、前記各ベースＤ２１の後端から上方に延出する左右の後脚Ｄ２３と、これら後脚Ｄ２３の上端間に架設された後フレームＤ２４と、この後フレームＤ２４の両端近傍部と前記前脚Ｄ２２の上端とを繋ぐ左右の側フレームＤ２５と、これら側フレームＤ２５の前端近傍部間に架設された前フレームＤ２６と、前記後脚Ｄ２３の上端から上方に延出する左右の背フレームＤ２７とを備えてなる。前記ベースＤ２１、前脚Ｄ２２、後脚Ｄ２３、側フレームＤ２５、及び、背フレームＤ２７は、共通の金属線材を折曲げることにより一体に構成されたもので、前記座板Ｄ３及び背板Ｄ４に作用する荷重を受けることが可能な強度を備えている。そして、座板Ｄ３は、左右の側フレームＤ２５と前フレームＤ２６に載置されるとともに、前記後フレームＤ２４に回動可能に支持されており、図１１及び図１２に示すように座板Ｄ３が略水平になる使用位置（Ｕ）と、図１３に示すように座板Ｄ３が背板Ｄ４と略平行になる跳ね上げ位置（Ｌ）との間で回動し得るようになっている。
【００６１】
なお、第１実施形態と同様に、左右のベースＤ２１同士の離間距離は、前記左右の側フレームＤ２５の離間距離よりも大きく設定してあり、図１２に示すように、同一の構造をなす他の椅子Ｄ１と上下方向にスタッキング可能になっている。特に、図１２に示すような上下方向にスタッキングする際には、上下方向に隣接する上の椅子Ｄ１の設置体Ｄ２１１の下面が、下の椅子Ｄ１のベースＤ２１の上面に載るかたちとなり、上下の椅子Ｄ１の座板Ｄ３同士が直接接触しないように設定されている。そのため、上下方向にスタッキングした際に、上の椅子Ｄ１の座板Ｄ３は、跳ね上げ方向に浮き上がらないようになっている。
【００６２】
また、前記左右の前脚Ｄ２１間の距離は、前記左右の後脚Ｄ２２間の距離よりも小さく設定されており、図１３に示すように、座板Ｄ３を跳ね上げた状態で同一の構造をなす他の椅子とネスティング可能になっている。すなわち、前記左右の側フレームＤ２５同士の離間距離、及び左右のベースＤ２１同士の離間距離は、それぞれ前方に向かって漸次小さくなるように設定されている。
【００６３】
座板Ｄ３は、図１１に示すように、板材Ｄ３１と、この板材Ｄ３１の下面に突設した支持部Ｄ３２とを備えたもので、この実施形態においては、樹脂により一体に成形されている。
【００６４】
板材Ｄ３１は、図１１に示すように、椅子本体Ｄ２の左右の側フレームＤ２５及び前フレームＤ２６及び後フレームＤ２４に支持される周縁部Ｄ５と、この周縁部Ｄ５の内側に位置する中間部Ｄ６とを有し樹脂で一体に成形されたものである。
【００６５】
前記周縁部Ｄ５は、図１１に示すように、中間部Ｄ６の左右両側に位置する側縁部分Ｄ５１と、中間部Ｄ６の後側に位置する後縁部分Ｄ５２と、中間部Ｄ６の前側に位置する前縁部分Ｄ５３とを備えたものである。前記側縁部分Ｄ５１は、前記側フレームＤ２５を包み込むように下方に湾曲している。前記後縁部分Ｄ５２は、後上方に向けて湾曲している。前記前縁部分Ｄ５３は、前下方に向けて湾曲している。
【００６６】
支持部Ｄ３２は、図１１及び図１４に示すように、前記後縁部分Ｄ５２の下面に一体に設けられている。この取付体Ｄ３２は、横断面Ｃ字形をなす溝Ｄ３２０を有したもので、その溝Ｄ３２０を前記後フレームＤ２５に回動可能に係わり合わせることにより、前記座板Ｄ３を前記椅子本体Ｄ２に取り付けている。
【００６７】
支持部Ｄ３２は、具体的には、図１４に示すように、表面側に開口し裏面側に突出する略Ｕ字形状をなすものであり、その突出した部分である突出部分Ｄ３２１を後フレームＤ２４に取り付けている。具体的には、突出部分Ａ３２１の中央に、さらに下方に突出する外嵌部Ｄ３２２を備え、この外嵌部Ｄ３２２を円筒形状をなす後ろフレームＤ２４に外嵌させたものとしている。
【００６８】
背板Ｄ４は、図１０に示すように、両側縁に下方に開口する取付孔Ｄ４１を備えたもので、その取付孔Ｄ４１を前記背フレームＤ２７に嵌め合わせることによって、この背板Ｄ４を椅子本体Ｄ２に支持させている。
【００６９】
このような構成のものであれば、図１１に示すように上下方向にスタッキングすることも、図１２に示すように前後方向にネスティングすることも可能になる上に、座板に関しては前述した第１実施形態に準じた効果が得られる。加えて本実施形態における支持部Ｄ３２の構成により、金属線材やパイプ材といった円筒形状をなす箇所に対しても、本発明に係る支持部Ｄ３２の形状を適用することにより、座板Ｄ３に所要のクッション性を与えることができる。
【００７０】
また、以上説明した第４実施形態の支持部Ｄ３２に準じた構成をなすものを、前記第１実施形態における前フレームＡ２６に対応する位置、前記第２実施形態の椅子本体Ｂ２に組み合わせることも考えられる。
【００７１】
なお、本発明は以上に述べた実施形態に限られない。
【００７２】
上記の第２実施形態、第３実施形態に係る支持部を設けている板材は、座板を構成するものに限らず、第１実施形態に示した背板Ａ４のように、背板を構成するものであってもよい。
【００７３】
突出部分の具体的な形状は、概略Ｕ字形状に限られないのはもちろんであり、例えば、厚み方向に波打たせた形状やＣ字状に突出する形状等、等種々変形が可能である。
【００７４】
また上記各実施形態では、座板の中間部を単なる平板状のものとしたが、板材の上面を張り地で覆い設けたものであってもよい。
【００７５】
また、座板とフレームとの間には、単に隙間や空隙を形成したものに限られず、さらに、そのフレームと板材との間に別体のクッション等を介在させたり、隙間や空隙を利用して格別の収納空間としたりしたものであってもよい。
【００７６】
また、板材の素材は、椅子用のシェル等を成形するための樹脂に限らず、エラストマーを用いてもよい。
【００７７】
上記第１実施形態の前フレームは、前記中間部が厚み方向に撓んだ場合に、前記中間部の下面と前フレームの上面との間になお隙間を介したものになっているが、中間部の下面が前フレームの上面に当接して中間部の下方への撓み範囲を制限するものであってもよい。
【００７８】
上記第２実施形態の支持フレームは、前記中間部が厚み方向に撓んだ場合に、前記中間部の下面と支持フレームの上面との間になお隙間を介したものになっているが、中間部の下面が支持フレームの上面に当接して中間部の下方への撓み範囲を制限するものであってもよい。
【００７９】
上記第３実施形態の支持機構は、座フレームの前端側を前リンク要素を介して支持基部に支持させるとともに、座フレームの後端側を背支桿の座取付部に枢支させたものであるが、このようなものに限られるものでなく、背板と座板とが一定の比率で同期して傾動するシンクロロッキング可能なものであれば、適宜なものを使用できる。
【００８０】
その他、本発明の趣旨を損ねない範囲で種々に変更してよい。
【産業上の利用可能性】
【００８１】
本発明は本発明は、学校用または事務用等として好適に利用することができる。
【符号の説明】
【００８２】
Ａ２、Ｂ２、Ｃ２…椅子本体
Ａ３、Ｂ３、Ｃ３、Ｄ３…座板
Ａ４２…背板
Ａ１、Ｂ１、Ｃ１…椅子
Ａ３２、Ａ４２、Ｂ３５、Ｃ３２、Ｄ３２…支持部
Ａ３１、Ａ４１、Ｂ３１、Ｃ３１、Ｄ３１…板材
Ａ３２１、Ｂ３５１、Ｃ３２１、Ｄ３２１…突出した部分（突出部分）
【図１】
2011244957.tif 000003
【図２】
2011244957.tif 000004
【図３】
2011244957.tif 000005
【図４】
2011244957.tif 000006
【図５】
2011244957.tif 000007
【図６】
2011244957.tif 000008
【図７】
2011244957.tif 000009
【図８】
2011244957.tif 000010
【図９】
2011244957.tif 000011
【図１０】
2011244957.tif 000012
【図１１】
2011244957.tif 000013
【図１２】
2011244957.tif 000014
【図１３】
2011244957.tif 000015
【図１４】
2011244957.tif 000016